【手続補正書】
【提出日】平成22年5月28日(2010.5.28)
【手続補正１】
【補正対象書類名】特許請求の範囲
【補正対象項目名】全文
【補正方法】変更
【補正の内容】
【特許請求の範囲】
【請求項１】
表示状態が変化可能であるとともに所定の演出表示を実行可能な可変表示装置を備え、該可変表示装置の表示結果が予め定められた特定の表示結果となったときに遊技者にとって有利な特定遊技状態に制御可能となる遊技機であって、
前記可変表示装置において実行する演出表示態様についての複数の選択肢を遊技者に提示する選択肢提示手段と、
遊技者の選択操作を受付けて選択操作信号を出力する手段であって、前記可変表示装置の表示結果を導出表示するための可変表示の開始から表示結果を導出表示するまでの期間中における予め定められた選択有効期間中において、遊技者が選択操作することにより、前記選択肢提示手段により提示された前記複数の選択肢から任意の選択肢を選択することができる選択手段と、
遊技者が動作を認識可能な箇所に設けられ、前記可変表示装置により演出表示が実行されるときに可動演出を実行する可動演出手段と、
前記可変表示装置の表示結果を前記特定の表示結果とするか否かを事前に判定する表示結果判定手段を含み、前記可変表示装置の可変表示時間と可変表示パターンとを特定可能な複数種類の変動パターンコマンド、および前記表示結果判定手段の判定結果を特定可能な表示結果コマンドを出力する遊技制御手段と、
前記選択肢提示手段を含み前記変動パターンコマンドおよび前記表示結果コマンドにしたがって前記可変表示装置を制御し、前記選択手段から出力された選択操作信号が前記遊技制御手段を経由することなく入力される可変表示制御手段とを含み、
該可変表示制御手段は、
前記選択操作信号の入力の有無に基づいて、前記選択有効期間内に前記選択手段による選択があったか否かを判定する選択有無判定手段と、
前記選択有効期間以降に前記可変表示装置において実行する演出表示態様を予め定められた複数の演出表示態様のうちから１つ選出する表示態様選出手段と、
前記選択有効期間以降において、前記可動演出手段による前記可動演出を実行するか否かを決定する可動演出決定手段とを含み、
前記複数の演出表示態様には、前記可動演出手段による可動演出の実行を伴う演出態様と可動演出の実行を伴わない演出態様とがあり、
前記選択肢提示手段は、複数種類の変動パターンコマンドのうちの特定の変動パターンコマンドにしたがって前記複数の選択肢を遊技者に提示し、
前記可変表示制御手段は、前記変動パターンコマンドにより特定される可変表示時間にしたがって前記可変表示装置を可変表示させた後前記表示結果コマンドにより特定される判定結果にしたがって前記可変表示装置に表示結果を確定表示させる制御を行ない、
前記選択有効期間は、前記選択手段による選択の時期によって変動することのない一定期間に定められており、
前記演出表示態様は、前記選択手段による選択の時期にかかわらず前記選択有効期間の経過後において実行されることを特徴とする、遊技機。
【請求項２】
前記可変表示制御手段は、前記可動演出手段による可動演出を実行するか否かを決定するための可動演出データが記憶され、前記可動演出の実行が選択される割合が異なるデータテーブルを含む複数の可動演出用データテーブルを含み、
該複数の可動演出用データテーブルには、前記可動演出手段により実行される可動演出内容を決定するための可動演出データも記憶されており、
前記可動演出決定手段は、前記複数の可動演出用データテーブルのいずれかを用いて、前記可動演出手段による前記可動演出を実行するか否かおよび前記可動演出を実行するときの可動演出内容を決定し、
前記表示態様選出手段により選出された演出表示態様と、前記可動演出決定手段により決定された可動演出動作内容とは、互いに関連性のある演出内容であることを特徴とする、請求項１に記載の遊技機。
【請求項３】
前記可動演出決定手段は、前記表示結果判定手段により判定された表示結果が前記予め定められた表示結果であるときには、前記予め定められた表示結果でないときに用いられる可動演出用データテーブルに比べて前記可動演出の実行される割合の高い可動演出用データテーブルを用いて前記可動演出手段による前記可動演出を実行するか否かを決定することを特徴とする、請求項１または請求項２に記載の遊技機。
【手続補正２】
【補正対象書類名】明細書
【補正対象項目名】０００１
【補正方法】変更
【補正の内容】
【０００１】
本発明は、たとえば、パチンコ遊技機やコイン遊技機あるいはスロットマシン等で代表される遊技機に関する。詳しくは、表示状態が変化可能であるとともに所定の演出表示を実行可能な可変表示装置を備え、該可変表示装置の表示結果が予め定められた特定の表示態様となったことを条件として遊技者にとって有利な特定遊技状態に制御可能となる遊技機に関する。
【手続補正３】
【補正対象書類名】明細書
【補正対象項目名】０００８
【補正方法】変更
【補正の内容】
【０００８】
（１）  表示状態が変化可能であるとともに所定の演出表示を実行可能な可変表示装置（特別図柄表示装置９）を備え、該可変表示装置の表示結果が予め定められた特定の表示結果（たとえば７７７）となったときに遊技者にとって有利な特定遊技状態（大当り状態）に制御可能となる遊技機（パチンコ遊技機１）であって、
前記可変表示装置において実行する演出表示態様についての複数の選択肢を遊技者に提示する選択肢提示手段（ＳＬ０２）と、
遊技者の選択操作を受付けて選択操作信号を出力する手段であって、前記可変表示装置の表示結果を導出表示するための可変表示の開始から表示結果を導出表示するまでの期間中における予め定められた選択有効期間（選択受付時間）中において、遊技者が選択操作することにより、前記選択肢提示手段により提示された前記複数の選択肢から任意の選択肢を選択することができる選択手段（選択センサ２０１，２０３）と、
遊技者が動作を認識可能な箇所に設けられ、前記可変表示装置により演出表示が実行されるときに可動演出を実行する（図２１で示した選択画面有の変動パターンのコマンド８００５〜８００８,８０１２〜８０１５が送信されてきたときにＳＴ０１によりＹＥＳの判断がなされてＳＴ０２以降の可動演出制御がなされる）可動演出手段（可動部材３７，３８，２１）と、
前記可変表示装置の表示結果を前記特定の表示結果とするか否かを事前に判定する表示結果判定手段を含み、前記可変表示装置の可変表示時間と可変表示パターンとを特定可能な複数種類の変動パターンコマンド（変動パターンコマンド）、および前記表示結果判定手段の判定結果を特定可能な表示結果コマンド（停止図柄コマンド）を出力する遊技制御手段（遊技制御用マイクロコンピュータ５３）と、
前記選択肢提示手段を含み前記変動パターンコマンドおよび前記表示結果コマンドにしたがって前記可変表示装置を制御し、前記選択手段から出力された選択操作信号が前記遊技制御手段を経由することなく入力される可変表示制御手段（表示制御用マイクロコンピュータ８００）とを含み、
該可変表示制御手段は、
前記選択操作信号の入力の有無に基づいて、前記選択有効期間内に前記選択手段による選択があったか否かを判定する選択有無判定手段（ＳＬ０５，ＳＬ０６，ＳＬ０８，ＳＬ１０，ＳＴ０７）と、
前記選択有効期間以降に前記可変表示装置において実行する演出表示態様を予め定められた複数の演出表示態様（カーブ投球，直球投球）のうちから１つ選出する表示態様選出手段（ＳＲ０３，ＳＲ０４，ＳＲ０７，ＳＲ０８）と、
前記選択有効期間以降において、前記可動演出手段による前記可動演出を実行するか否かを決定する可動演出決定手段（ＳＴ０４、ＳＴ０５，ＳＴ０８〜ＳＴ１０）とを含み、
前記複数の演出表示態様には、前記可動演出手段による可動演出の実行を伴う演出態様（ホームラン：ＳＴ１２）と可動演出の実行を伴わない演出態様（三振：例えばＳＴ０８で演出テーブル１を選択し図２４（Ａ）の動作無が選択されれば可動演出なし）とがあり、
前記選択肢提示手段は、複数種類の変動パターンコマンドのうちの特定の変動パターンコマンド（特定変動パターンコマンド）にしたがって前記複数の選択肢を遊技者に提示し（ＳＧ０１でＹＥＳ、ＳＧ０２で特定変動パターンを設定）、
前記可変表示制御手段は、前記変動パターンコマンドにより特定される可変表示時間にしたがって前記可変表示装置を可変表示させた後前記表示結果コマンドにより特定される判定結果にしたがって前記可変表示装置に表示結果を確定表示させる制御を行ない（ＳＥ０３，ＳＨ０１，ＳＩ０１，ＳＩ０２）、
前記選択有効期間は、前記選択手段による選択の時期によって変動することのない一定期間に定められており（エントリータイマＴ１、ＳＬ０５〜ＳＬ０８）、
前記演出表示態様は、前記選択手段による選択の時期にかかわらず前記選択有効期間の経過後において（ＳＬ０８でエントリータイマＴ１がタイムアップされたと判断された後において）実行される。
【手続補正４】
【補正対象書類名】明細書
【補正対象項目名】０００９
【補正方法】変更
【補正の内容】
【０００９】
このような構成によれば、遊技者が選択を行なって遊技に参加する意欲が促進されるとともに、遊技者の期待感および興奮を煽ってその後表示結果が導出表示されるために、遊技の興趣を向上させることができる。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】変更
【補正の内容】
【００１８】
（２）  前記可変表示制御手段は、前記可動演出手段による可動演出を実行するか否かを決定するための可動演出データ（動作無）が記憶され、前記可動演出の実行が選択される割合が異なるデータテーブル（演出テーブル１〜５（演出テーブルに付される数字はまる付数字を示し、以下同様））を含む複数の可動演出用データテーブルを含み、
前記複数の可動演出用データテーブルは、前記可動演出手段により実行される可動演出内容を決定するための可動演出データ（動作１、動作２、動作３）も記憶されており、
前記可動演出決定手段は、前記複数の可動演出用データテーブルのいずれかを用いて、前記可動演出手段による前記可動演出を実行するか否かおよび前記可動演出を実行するときの可動演出内容を決定し（ＳＴ０４、ＳＴ０５，ＳＴ０８〜ＳＴ１０）、
前記表示態様選出手段により選出された演出表示態様と、前記可動演出決定手段により決定された可動演出動作内容とは、互いに関連性のある演出内容であることを特徴とする（ホームランボールが飛んで行く画像に合せて可動部材２１の口が動作してその打球を食べる等の演出：ＳＴ１２）。
【手続補正１４】
【補正対象書類名】明細書
【補正対象項目名】００２０
【補正方法】変更
【補正の内容】
【００２０】
（３）  前記可動演出決定手段は、前記表示結果判定手段により判定された表示結果が前記予め定められた表示結果（確変図柄による大当り、確変図柄以外の大当り等）であるときには、前記予め定められた表示結果でないときに用いられる可動演出用データテーブル（演出テーブル１〜３）に比べて前記可動演出の実行される割合の高い可動演出用データテーブル（演出テーブル４、５）を用いて前記可動演出手段による前記可動演出を実行するか否かを決定することを特徴とする。